(57)【要約】      （修正有）【課題】家庭でも使用することができ、しかも、長期間保管しても目的の書籍（整理対象物）をいつでも簡単に探し当てることができる探索システム、及び、携帯電話機、携帯電話機にインストールするプログラムを提供する。【解決手段】探索システムでは、携帯電話機が書籍に取り付けられたＩＣタグを誘導すれば、ＩＣタグ内で電力が発生し、この電力を利用して書籍を識別するための識別情報が発信される。そのため、いつでもＩＣタグから識別情報を受信することができる。また、この探索システムでは、この識別情報を携帯電話機が受信した順番に仮想書籍８０をメイン表示部５２ａに並べて表示すると共に、各仮想書籍８０の書籍名８２を表示している。従って、この探索システムを用いれば、カバーなどをして外部からは識別不能な書籍を長期間保管しても、目的の書籍をいつでも簡単に探し当てることができる。【選択図】図７
2007099441.tif 000002
【特許請求の範囲】
【請求項１】
整理対象物を識別するための識別情報を記憶する記憶手段、及び、外部から誘導されて発生した電力により前記識別情報を無線で発信する発信手段を備える識別用タグと、
前記発信手段に電力を発生させる誘導を行う誘導手段、及び、前記識別用タグから識別情報を無線で受信する受信手段を備える携帯型取得装置と、
この携帯型取得手段が受信した前記識別情報毎に仮想整理対象物を設定し、前記識別情報を前記受信手段が受信した順に前記仮想整理対象物を並べて表示すると共に、前記各仮想整理対象物がいずれの前記整理対象物を示しているかを示す識別表記を前記識別情報に基づき表示する表示装置と
を備えることを特徴とする探索システム。
【請求項２】
請求項１記載の探索システムにおいて、
前記表示装置は、前記携帯型取得装置に備えられていることを特徴とする探索システム。
【請求項３】
請求項１〜２のいずれかに記載の探索システムを構成する携帯型取得装置として用いられ、一般公衆回線と通信可能な通信手段を備えることを特徴とする携帯電話機。
【請求項４】
請求項２に記載の探索システムを構成する携帯型取得装置として利用可能な携帯電話機にインストールする探索プログラムであって、
前記発信手段に電力を発生させる誘導を行う誘導手順、
前記識別用タグから識別情報信号を無線で受信する受信手順、
この受信手順を実行することで受信した前記識別情報毎に仮想整理対象物を設定し、前記識別情報を受信した順に前記仮想整理対象物を並べて表示すると共に、前記各仮想整理対象物がいずれの前記整理対象物を示しているかを示す識別表記を前記識別情報に基づき表示する表示手順
を有することを特徴とする探索プログラム。
【発明の詳細な説明】
【技術分野】
【０００１】
本発明は、探索システム、探索システムを構成する携帯型取得装置として用いられる携帯電話機、及び、この携帯電話機にインストールする探索プログラムに関する。
【背景技術】
【０００２】
従来より、書籍および文書ファイルロケーション自動探索装置（以下「探索装置」）という装置がある（特許文献１）。この探索装置は、書棚に収納されている目的の書籍の探索を指示すると、仮想的な書籍と書棚の画像を用いて目的の書籍の書棚中の位置を表示するとともに、目的の書籍の書名等を表示する装置である。この探索装置を用いると、目的の書籍の収納位置や書籍名等が仮想的に表示されるので、目的の書籍を簡単に探し当てることができる。
【０００３】
この探索装置を利用する場合、書籍には、書籍を識別する識別情報を記憶したＩＣカードが取り付けられる。このＩＣカードは、この識別情報を無線で発信する発信装置を備えており、そのため探索装置は、このＩＣカードから発信される識別情報を受信するための受信装置を備えている。また、この探索装置では、書籍の収納位置を測定するため、識別情報を受信した角度を測定する必要があるので、この探索装置は、識別情報を受信した角度を測定可能な精密な受信装置を備えている。また、ＩＣカードは、探索装置が識別情報をいつでも受信できるよう、識別情報を常時発信しているので、電池等の電源を有していると解される。
【０００４】
ところで、書店などでは、書籍１００を購入した人が電車内などで読書をする際、周囲の人に書籍名等を知られないようにするため、図８（ａ）に示すように、紙製のカバー１０１を書籍１００につけるサービスが行われている。また、書籍１００は痛みやすいので、書籍１００を購入した人が、書籍１００に自主的にカバー１０１を取り付けることがある。そして、これらの書籍は、図８（ｂ）に示すように、カバー１０１をしたまま書棚に収納されることがある。このように、書籍１００にカバー１０１をつけたまま書棚に収納してしまうと、目的の書籍１００を探そうとした場合、いちいち中身を開いてみないと書籍１００の名前が分からないので大変不便である。
【０００５】
そこで、上述した探索装置及びＩＣカードで構成される探索システムを用いれば、書籍１００にカバー１０１が施され、書籍１００を識別できない場合でも、書籍１００にＩＣカードを取り付けておき、探索装置を構成する受信装置を書棚に収納された各書籍から識別情報を受信可能な位置に設置しておけば、目的の書籍１００の収納場所が仮想画面上に表示されるので、目的の書籍を簡単に探し当てることができる。
【特許文献１】特開２００３−１８２８２０号
【発明の開示】
【発明が解決しようとする課題】
【０００６】
しかし、上述した探索システムの探索装置は、先に説明したとおり、識別信号の受信方向を正確に判断可能な精密な受信装置が必要であるためコストがかかる。また、この探索システムは、識別情報の受信方向を測定可能な所定距離だけ書棚から離れた位置に受信装置を設置せねばならないため、広い設置スペースが必要である。そのため、この探索システムは、家庭での利用には不向きであった。
【０００７】
また、上述した探索システムを構成するＩＣカードは、常時、識別信号を発信しているため、電池をすぐに消耗してしまう。ところが、書籍１００は、半永久的に書棚に収納されるものもある。そのため、この探索システムは、書籍を収納後、長時間経過してしまうと、識別情報を受信できなくなり、目的の書籍を簡単に探すことができなかった。
【０００８】
そこで本発明では、家庭でも使用することができ、しかも、長期間保管しても目的の書籍（整理対象物）をいつでも簡単に探し当てることができる探索システム、及び、この探索システムで利用する携帯電話機、この携帯電話機にインストールするプログラムを提供することを目的とする。
【課題を解決するための手段】
【０００９】
上述した問題を解決するためになされた発明である請求項１記載の探索システムは、整理対象物を識別するための識別情報を記憶する記憶手段、及び、外部から誘導されて発生した電力により前記識別情報を無線で発信する発信手段を備える識別用タグと、前記発信手段に電力を発生させる誘導を行う誘導手段、及び、前記識別用タグから識別情報を無線で受信する受信手段を備える携帯型取得装置と、この携帯型取得手段が受信した前記識別情報毎に仮想整理対象物を設定し、前記識別情報を前記受信手段が受信した順に前記仮想整理対象物を並べて表示すると共に、前記各仮想整理対象物がいずれの前記整理対象物を示しているかを示す識別表記を前記識別情報に基づき表示する表示装置とを備えることを特徴とする。
【００１０】
この請求項１記載の探索システムでは、携帯型取得装置が識別用タグを誘導すれば、識別用タグ内で電力が発生し、この電力を利用して識別情報が発信される。そのため、この探索システムを構成する携帯型取得装置は、携帯型取得装置側から誘導を行えば、いつでも識別用タグから識別情報を受信することができる。また、この探索システムでは、この識別情報を携帯型取得装置が受信した順番に、識別情報に対応する仮想整理対象物を表示手段が並べて表示すると共に、各仮想整理対象物がいずれの整理対象物のものなのかを示す識別表記を、表示手段が識別情報に基づいて表示している。そのため、この探索システムを用い、長期間保管され、並べられた複数の整理対象物に対し順番に誘導を行って識別情報を受信すれば、整理対象物に対応する仮想整理対象物がその順番に表示されるとともに、その並べられた仮想整理対象物が何を示すのかが識別表記される。従って、この探索システムを用いれば、この探索システムの利用者は、この仮想整理対象物の並び順及び識別表記を見ることで、カバーなどをして外部からは識別不能な整理対象物を長期間保管しても、目的の整理対象物をいつでも簡単に探し当てることができる。
【００１１】
さらに、この探索システムは、従来の探索システムのように、識別情報がどの方向から飛んできたかを正確に測定可能な精密な受信装置が不要で、そのような測定を行うための広いスペースを必要とせず、携帯型取得装置を識別対象物に近づけて、識別対象物に取り付けら得た識別用タグから識別情報を受信するだけでよい。従って、この探索システムを用いれば、広いスペースが不要なので、家庭に手軽に導入することができる。
【００１２】
なお、本発明の探索システムは、携帯型取得装置の受信手段が受信した識別情報と、受信手段がこの識別情報を受信した順番を示す順番情報とを記憶する記憶手段を備えていてもよい。この記憶手段を備えていれば、並べて整理した整理対象物の識別用タグから、一度識別情報を読み取っておけば、その後、識別情報を読み取る操作をすることなく、記憶手段に記憶された識別情報及び順番情報とから、表示手段が仮想整理対象物や識別表記を表示することができる。なお、この記憶手段は、携帯型取得装置あるいは表示装置のいずれに備えられていてもよい。
【００１３】
また、本発明の探索システムは、上述したような記憶を行う場合、記憶手段には、受信した識別情報（及び順番情報）を複数のグループ毎に分けて記憶してもよい。このようにすれば、本棚に設けられた段毎に分けて、仮想整理対象物や識別表記を表示することができる。
【００１４】
さらに、携帯型取得装置と表示装置とは、これらの装置間で識別情報信号を通信することができれば別体に構成されていてもよいが、請求項２に記載したように、携帯型取得装置と表示装置とは、一体に形成されていてもよい。このように形成されていれば、携帯型取得装置が識別情報信号を読み込んだその場で表示画像に表示された画像を見ることができるので、手元で目的の整理対象物をいつでも簡単に探し当てることができる。
【００１５】
ところで、請求項３に記載したように、請求項１〜２のいずれかに記載の探索システムを構成する携帯型取得装置としては、一般公衆回線と通信可能な通信手段を備える携帯電話機を用いてもよい。
【００１６】
また、近年、携帯電話は急速に普及し、ＩＣタグを誘導してＩＣタグに記憶された情報を発信させて、その情報を受信する機能を有する機種が多数存在し、探索システムを構成する携帯型取得装置及び表示装置として利用可能な、誘導手段や受信手段に相当する構成を備えた携帯電話機も多く存在する。
【００１７】
そこで、請求項４では、このような携帯電話機にインストールするプログラムを示している。このプログラムは、発信手段に電力を発生させる誘導を行う誘導手順、識別用タグから識別情報信号を無線で受信する受信手順、この受信手順を実行することで受信した識別情報毎に仮想整理対象物を設定し、識別情報を受信した順に仮想整理対象物を並べて表示すると共に、各仮想整理対象物がいずれの整理対象物を示しているかを示す識別表記を識別情報に基づき表示する表示手順を有する。
【００１８】
このプログラムを用いると、前述した携帯電話機にインストールするだけで、この携帯電話機を携帯型取得装置として利用することができるので、携帯電話機の機能がアップするとともに、整理対象物の管理も携帯電話機で簡単に行うことができる。
【発明を実施するための最良の形態】
【００１９】
以下、本発明を実施するための最良の形態について図面を用いて説明する。
図１は、本実施形態の探索システムの説明図で、この探索システムを構成するＩＣタグが取り付けられた書籍と携帯電話機の斜視図である。図２は、ＩＣタグの説明図で、（ａ）は平面図、（ｂ）はＩＣタグの記憶チップに記憶された識別情報の内容を示す表である。図３は、携帯電話機の内部構成を示すブロック図である。尚、図１では、カバー２０ｂに隠された構成については、点線の引出線で示している。
[探索システム]
本実施形態の探索システム１は、図１に示すように、ＩＣタグ３と、携帯電話機５とを備えている。
【００２０】
このうちＩＣタグ３は、書棚などに収納された複数の各書籍２０の背表紙２０ａに取り付けられている。また、各書籍２０は、書籍２０の表表紙〜背表紙〜裏表紙までの部分を覆うカバー２０ｂが取り付けられており、ＩＣタグ３は外部から視認することはできない。
【００２１】
携帯電話機５は、一般通信回線と無線通信し、この一般通信回線と通信可能な他の携帯電話機との間で一般通信回線を介して電話通信が可能なものである。この携帯電話機５は、長手方向のほぼ中央で折り畳み可能に構成され、折り目を挟んだ一方側と他方側を構成する二つのフレーム５０、５２からなっている。そして、第１フレーム５０には、ダイヤル用の押ボタン５０ａ等が表面に設けられ、第２フレーム５２には、後述する液晶製のメイン表示部５２ａが表面に設けられるとともに、メイン表示部５２ａより小型のサブ表示部５２ｂが裏面に設けられている。そして、この携帯電話機５は、各フレーム５０、５２の表面が重なるように折り曲げ可能に構成されている。また、この携帯電話機５の第２フレーム５２の裏面側には、後述する誘導器５２ｃと受信器５２ｄとが設けられているが、これら（５２ｃ、５２ｄ）は、フレーム５２の内部に埋め込まれ、外部から視認することはできない。
[ＩＣタグ]
次に、ＩＣタグ３について、図２を用いて、具体的に説明する。
【００２２】
このＩＣタグ３は、図２（ａ）に示すように、台紙３４の表面上に集積回路３０とアンテナ３２とが貼着された一般的なＩＣタグであり、集積回路３０は台紙の左端中央に貼着され、アンテナ３２は、この集積回路３０の下端から台紙３４の周辺部に沿い集積回路３０の上端部に至るループ状の張られた複数の平行なアンテナ線からなり、台紙３４に貼着されている。
【００２３】
また、このＩＣタグ３の集積回路３０は、メモリ回路３１を備えており、そのメモリ回路３１には、ＩＣタグ３が取り付けられた書籍を識別するための識別情報が記憶されている。この識別情報は、具体的には、図２（ｂ）に示すように、各ＩＣタグ３のＩＰアドレス（ＩＰｖ６）３１０、各ＩＣタグ３が取り付けられる書籍名情報３１１、その書籍のサブタイトル情報３１２、その書籍の購入年月日情報３１３、その書籍の表紙の画像情報３１４、その他の情報３１５等からなり、これらの情報はそれぞれ関連付けられて記憶されている。尚、この識別情報のうち、ＩＰアドレス３１０以外の情報は、書き換えることができる。
【００２４】
このように構成されたＩＣタグ３では、アンテナ３２が外部から誘導を受けると、ループ状に張られたアンテナ線に電力が生じる。すると、集積回路３０が、その電力を利用して、メモリ回路３１に記憶された識別情報を搬送波に載せ、その識別情報を無線でアンテナ３２から発信する。
[携帯電話機]
次に、携帯電話機５の内部構成について、図３を用いて、具体的に説明する。
【００２５】
この携帯電話機５は、図３に示すように、前述したフレーム５０、５２の内部に、中央制御装置５４、画像出力装置５５、キーセンサ５６、誘導器５２ｃ、受信器５２ｄ、通信装置５７、及び、音声の出力、入力装置などのその他の装置６０とを備えている。このうち、画像出力装置５５には、メイン表示部５２ａと、サブ表示部５２ｂが接続され、キーセンサ５６は、ダイヤル用の押ボタンスイッチ５０ａと一体に構成されている。そして、中央制御装置５４は、画像出力装置５５、キーセンサ５６、誘導器５２ｃ、受信器５２ｄ、通信装置５７、及び、その他の装置６０の各装置とバス６２で結ばれ、中央制御装置５４は、これらの装置（５５、５６、５２ｃ、５２ｄ、５７、６０）及びメイン表示部５２ａ、サブ表示部５２ｂ、ダイヤル用の押ボタンスイッチ５０ａと連動することで、各種処理を実行する。
【００２６】
中央制御装置５４は、ＣＰＵ５４ａ、ＲＯＭ５４ｂ、ＲＡＭ５４ｃを備えるコンピュータ装置である。ＲＯＭ５４ｂには、各種処理を実行するための各種プログラムが記憶されており、ＣＰＵ５４ａは、このプログラムに基づいて、各種処理を実行する。ＲＡＭ５４ｃには、ＣＰＵ５４ａが各種処理を行っているときに必要な情報を一時的に記憶したり、前述した識別情報などを長期間記憶する。
【００２７】
画像出力装置５５は、ＣＰＵで行われる各種処理に応じた各種の画面をメイン表示部５２ａやサブ表示部５２ｂに表示するための装置である。この画像出力装置５５は、中央制御装置５４から画像信号が送られてきたら、メイン表示部５２ａやサブ表示部５２ｂで画像を表示するための信号に変換し、その信号をメイン表示部５２ａ等に送信する。
【００２８】
キーセンサ５６は、ダイヤル用の押ボタンスイッチ５０ａに対する操作を検出し、その検出結果を中央制御装置５４に伝える装置である。
誘導器５２ｃは、中央制御装置５４で行われる各種処理に応じて、ＩＣタグ３を誘導する装置である。この誘導器５２ｃは、中央制御装置５４から誘導を行う指令を受けたら、図示しないコイルに電気を流し、所定の強さの誘導用の電磁波を出力する。
【００２９】
受信器５２ｄは、ＩＣタグ３から発信された識別信号を受信する装置である。この受信器５２ｄは、ＩＣタグ３から搬送波に載せられた識別情報を受信したら、その信号をフィルタリングして識別情報を取り出し、中央制御装置５４に送信する。
【００３０】
通信装置５７は、ＣＰＵ５４で行われる各種処理に応じて、一般公衆回線と無線通信するための装置である。この通信装置５７は、中央制御装置５４から送られてくる情報を搬送波に載せて発信したり、搬送波に載せられた信号を受信したらフィルタリングして、その結果得られた情報を中央制御装置５４に出力する
このように構成された携帯電話機５では、以下に示すような各種処理が行われる。
【００３１】
ここで、図４は識別情報取得処理のフローチャート、図５はＲＡＭ５４ｃに記憶された識別情報、カウンタ値、グループ名を示す表である。
[識別情報取得処理]
識別情報取得処理（Ｓ１）は、携帯電話機５の中央制御装置５４が実行する処理である。
【００３２】
この識別情報処理（Ｓ１）ではまず、図４に示すように、中央制御装置５４は、押ボタンスイッチ５０ａが所定のスタート手順で操作されたか否かを判定する（Ｓ１０）。この判定（Ｓ１０）において、スタート手順で操作がされたと判定すると（Ｓ１０：ＹＥＳ）、Ｓ１２以下の処理を実行して本処理（Ｓ１）をスタートし、スタート手順で操作されていないと判定すると（Ｓ１０：ＮＯ）、Ｓ１０の判定が繰り返し実行される。
【００３３】
中央制御装置５４は、本処理（Ｓ１）がスタートすると、まず、グループを設定するグループ設定処理を実行する（Ｓ１２）。このＳ１２以降の処理では、複数の識別情報が読み込まれるので、このＳ１２では、これから読み込まれる識別情報がいずれのグループに属するのかを設定する処理が行われる。このグループとは、例えば、Ｓ１２以降の処理で読み込まれる各識別情報で識別される書籍が、応接間の本棚の３段目に収納されているものだとすると、「応接間：３段目」などと押ボタンスイッチ５０ａを用いて入力されることにより設定される。そして、入力されたグループ名は、ＲＡＭ５４ｃに記憶される。尚、既存のグループに識別情報を追加する場合は、既存のグループ名をメイン表示部５２ａに表示し、その中からグループ名を選択するようにしてもよい。
【００３４】
中央制御装置５４は、次に、カウンタ値「１」を設定する処理を実行する（Ｓ１４）。この処理（Ｓ１４）では、ＣＰＵ５４ａがカウンタ値「１」を発生させるので、そのカウンタ値「１」をＲＡＭ５４ｃに記憶する処理を実行する。このカウンタ値は、識別情報が読み込まれた順番を示す。
【００３５】
中央制御装置５４は、次に、ＩＣタグ３の誘導を開始する誘導開始処理（Ｓ１６）を実行する。この処理（Ｓ１６）が実行されると、誘導器５２ｃが動作して誘導が開始され、また、受信器５２ｄも動作してＩＣタグ３から識別情報の受信も開始する。
【００３６】
中央制御装置５４は、次に、受信器５２ｄが、ＩＣタグ３から発信された識別情報を受信したか否かを判定する処理を実行する（Ｓ１８）。
この判定処理（Ｓ１８）で、識別信号を受信したと判定したら（Ｓ１８：ＹＥＳ）、中央制御装置５４は、受信した識別情報を、現在ＲＡＭ５４ｃに記憶されているカウンタ値に関する情報及び、グループ名とを関連付けて、ＲＡＭ５４ｃに記憶する処理を実行する（Ｓ２０）。そして、中央制御装置５４は、この処理（Ｓ２０）の後、現在ＲＡＭ５４ｃに記憶されているカウンタ値に対し「１」プラスしたカウンタ値を発生させ、ＲＡＭ５４ｃに記憶する処理を実行し（Ｓ２２）、再びＳ１８の処理を実行する。
【００３７】
また、この判定処理（Ｓ１８）で、識別信号を受信していないと判定したら（Ｓ１８：ＮＯ）、中央制御装置５４は、携帯電話機５の電池の消耗を抑えるため、予め設定された待機時間が経過していないか否かを判定する処理を実行する（Ｓ３０）。
【００３８】
この判定処理（Ｓ３０）で、待機時間が経過したと判定したら（Ｓ３０：ＹＥＳ）、中央制御装置５４は、Ｓ１６で起動した誘導器５２ｃと、受信器５２ｄの動作を停止する処理を実行し（Ｓ３２）、さらに、継続して識別信号の受信を行うか否かを、メイン表示部５２ａ等に表示して、探索システム１の使用者に問い合わせる処理を実行する（Ｓ３４）。この処理（Ｓ３４）の結果、登録を継続することを指示する操作が押ボタンスイッチ５０ａに対して行われた場合は（Ｓ３４：ＹＥＳ）、Ｓ１６以下の処理を実行し、誘導器５４ｃ等を再び起動して、識別情報を登録する処理を再開し、一方、Ｓ３４の処理の結果、登録を終了することを指示する操作が行われた場合は（Ｓ３４：ＮＯ）、本処理（Ｓ１）を終了する。
【００３９】
また、この判定処理（Ｓ３０）で、待機時間が経過していないと判定したら（Ｓ３０：ＮＯ）、本処理（Ｓ１）を終了するか操作が行われているか否かを判定する処理を実行する（Ｓ４０）。このＳ４０の処理では、中央制御装置５４は、具体的には、Ｓ１８→Ｓ３０→Ｓ４０→Ｓ１８の一連の処理を実行している間に、押ボタンスイッチ５０ａに対し誘導を終了よう指示する予め定められた操作が行われているか否かを判定している。そして、このＳ４０の処理で、誘導を終了するよう指示する操作が行われていたと判定すると（Ｓ４０：ＹＥＳ）、誘導器５２ｃと受信器５２ｄを停止し（Ｓ４２）、本処理（Ｓ１）を終了する。一方、誘導を終了する操作が行われていないと判定すると（Ｓ４０：ＮＯ）、再びＳ１８以下の処理を実行する。
【００４０】
以上説明した識別情報取得処理（Ｓ１）では、スタート操作を行って（Ｓ１０）、Ｓ１２〜Ｓ２２の処理を実行すると、ＲＡＭ５４ｃには、グループ名とカウンタ値とが関連付けられた識別情報が記憶される。そしてＳ１８〜Ｓ２２をさらに繰り返すことによって、図５に示すように、一つのグループに関連して複数の識別情報が記録されるとともに、各識別情報には、識別情報を受信した順に大きくなるカウンタ値が自動的に関連付けられて記憶される。しかも、この識別情報取得処理（Ｓ１）では、待機時間が経過しない限り（Ｓ３０：ＹＥＳ）、識別情報及びカウンタ値を連続的にＲＡＭ５４ｄに記憶することができるので、スタート操作を行った後、書棚に並べられた書籍の並び方向に沿って携帯電話機５を移動させるだけで、図５に示すように、一つのグループに関連して複数の識別情報及びカウンタ値を瞬時にＲＡＭ５４ｃに記録することができる。
【００４１】
次に、この識別情報取得処理（Ｓ１）を実行すると、誘導器５２ｃや受信器５２ｄを動作させているので、携帯電話機５に備えられた充電電池が、この処理（Ｓ１）を実行しない場合に比べて早く消費してしまうことは否めないが、本処理（Ｓ１）を実行している間（特にＳ１６〜Ｓ２２）、Ｓ３０により待機時間が経過したか否かを判定し、待機時間を経過したら（Ｓ３０：ＹＥＳ）、誘導器５２ｃと受信器５２ｄを停止しているので（Ｓ３２）、本処理（Ｓ１）を実行しても、無駄な電力消費を抑えることができる。
[バーチャル画像表示処理]
次に、携帯電話機５で実行されるバーチャル画像表示処理について説明する。
【００４２】
ここで、図６はバーチャル画像表示処理のフローチャートである。図７は、バーチャル画像表示処理を実行したときに、携帯電話機５のメイン表示部５２ａに表示される画像を説明するための説明図で、（ａ）はグループ名の一覧を表示した様子を示し、（ｂ）は仮想書籍と、グループ名と、書籍名と、並び順（カウンタ値）が表示された様子を示し、（ｃ）は、（ｂ）で示した仮想書籍がスクロールされたときの様子を示している。
【００４３】
このバーチャル画像表示処理（Ｓ５）は、携帯電話機５の中央制御装置５４が実行する処理である。
このバーチャル画像表示処理（Ｓ５）ではまず、図６に示すように、中央制御装置５４は、押ボタンスイッチ５０ａが所定のスタート手順で操作されたか否かを判定する（Ｓ５０）。この判定（Ｓ５０）において、スタート手順で操作がされたと判定すると（Ｓ５０：ＹＥＳ）、Ｓ５２以下の処理を実行して本処理（Ｓ１）をスタートし、スタート手順で操作されていないと判定すると（Ｓ５０：ＮＯ）、Ｓ５０の判定が繰り返し実行される。
【００４４】
中央制御装置５４は、本処理（Ｓ５）がスタートすると、まず、図７（ａ）に示すように、ＲＡＭ５４ｃに記憶されたグループ情報の一覧をメイン表示部５２ａに表示する処理を実行する（Ｓ５２）。上述した識別情報取得処理（Ｓ１）では、一つのグループに属する識別情報を読み込む処理について説明したが、同処理（Ｓ１）を繰り替えすことにより、ＲＡＭ５４ｃには複数のグループを記憶することができる。そのためここでは、もし複数のグループがＲＡＭ５４ｃに記憶されていたら、それら全てのグループ名を表示する。尚、全てのグループ名が表示できない場合、スクロール操作によって、順序表示してもよいことはもちろんである。
【００４５】
そして、この処理（Ｓ５２）によりグループが表示されると、そのグループのうち一つについて、操作者により押ボタンスイッチ５０ａを操作することにより選択される（Ｓ５４）。
【００４６】
中央制御装置５４は、グループが選択されると（Ｓ５４）、図７（ｂ）に示すように、そのグループに含まれる各識別情報に対応する仮想書籍８０の画像をメイン表示部５２ａに表示すると共に、左端の仮想書籍８０を識別する表記として識別情報の中から書籍名８２を表示し、Ｓ５４で選択されたグループのグループ名８４を表示する処理を実行する（Ｓ５６）。また、本実施形態では、各仮想書籍８０の画像の背表紙の上端にカウンタ値と同じ数字８６が表示される。本実施形態では、書棚に並べられた書籍のうち左端のものから識別情報を受信することを想定しており、このように識別情報を読み込むと左端の書籍に関する識別情報から順にカウンタ値が設定されるので、仮想書籍８０上に表示された数字８６は、書籍を左から並べた順番を示すこととなる。尚、書籍の識別情報を右から読み込んだ場合は、上記とは逆に仮想書籍８０を右から左に向かって表示し、数字８６も右から左に向かって大きくなるように表示してもよい。この場合、右端の仮想書籍８０について書籍名８２を表示する。また、ここでは、書籍名８２だけを表示したが、サブタイトルや購入年月日等を表示してもよいことはもちろんであるし、何らかの操作を行うと、書籍名→サブタイトル→購入年月日等、識別情報に関連した情報が順に表示されるよう構成してもよい。
【００４７】
中央制御装置５４は、次に、メイン表示部５２ａに表示された仮想書籍８０の画像をスクロールするか、表示を終了するか、あるいは、他グループを表示する操作がなされたか否かを判定する処理を実行する（Ｓ５８）。この処理（Ｓ５８）を実行すると、押ボタンスイッチ５０ａが操作され、スクロールすることを指示する操作がなされた場合は（Ｓ５８：スクロール）、図７（ｃ）に示すように、仮想書籍８０の画像を１冊づつ移動（図７では左方に）する処理を実行し、そして書籍名８２も、スクロールによって最も左に表示された書籍の物に変更する処理がなされ、再びＳ５８の処理が実行される。このＳ５８〜Ｓ６０の一連の処理を実行すると、Ｓ５６でメイン表示部５２ａに表示し切れなかった仮想書籍８０についても表示することができる。
【００４８】
一方、押ボタンスイッチ５０ａが操作され、他グループを選択する操作がなされた場合は（Ｓ５８：他グループ）、再びＳ５２の処理が実行され、図７（ａ）に示すように、メイン表示部５２ａにグループの一覧が表示される。
【００４９】
また他方、押ボタンスイッチ５０ａが操作され、表示終了を選択する操作がなされた場合は（Ｓ５８：表示終了）、本処理（Ｓ５）を終了する。
以上説明したバーチャル画像表示を実行すると、識別情報取得処理（Ｓ１）で識別情報を受信した順番に並べられた仮想書籍画像がメイン表示部５２ａに表示され、その仮想書籍画像が示す書籍名と、その書籍が属するグループの中での並び順が表示されるので、そのグループ名で特定される場所の左から何番目に目的の書籍があるかが、一目で分かる。
[本実施形態の特徴的な作用・効果]
以上説明した本実施形態の探索システムを用いると、以下のような作用効果がある。
【００５０】
本実施形態の探索システム１では、携帯電話機５がＩＣタグ３を誘導すれば、ＩＣタグ３内で電力が発生し、この電力を利用して識別情報が発信される。そのため、この探索システム１を構成する携帯電話機５は、携帯電話機５から誘導を行えば、いつでもＩＣタグ３から識別情報を受信することができる。また、この探索システム１では、この識別情報を携帯電話機５が受信した順番に、識別情報に対応する仮想書籍８０をメイン表示部５２ａに並べて表示すると共に、各仮想書籍８０の書籍名を識別情報に基づいて表示している。そのため、この探索システム１を用い、長期間保管され、並べられた複数の書籍２０に対し順番に誘導を行って識別情報を受信すれば、書籍２０に対応する仮想書籍８０がその順番に表示されるとともに、その並べられた仮想書籍８０の書籍名８２がメイン表示部５２ａ上に表記される。従って、この探索システム１を用いれば、この探索システム１の利用者は、メイン表示部５２ａに表示された仮想書籍８０の並び順（あるいは数字８６）及び書籍名８２を見ることで、カバーなどをして外部からは識別不能な書籍を長期間保管しても、目的の書籍２０をいつでも簡単に探し当てることができる。
【００５１】
さらに、この探索システム１は、従来の探索システムのように、識別情報がどの方向から飛んできたかを正確に測定可能な精密な受信装置が不要で、そのような測定を行うための広いスペースを必要とせず、単に、識別情報を受信できればよい。従って、この探索システム１を用いれば、広いスペースが不要なので、家庭に手軽に導入することができる。
【００５２】
なお、本実施形態の探索システム１は、携帯電話機５の受信器５２ｄが受信した識別情報と、受信器５２ｄがこの識別情報を受信した順番を示すカウンタ値とを記憶している。そのため、この探索システム１では、並べて整理した書籍２０から、一度識別情報を読み取っておけば、その後、識別情報を読み取る操作をすることなく、ＲＡＭ５４ｃに記憶された識別情報及びカウンタ値（順番情報）とから、メイン表示部５２ａが仮想書籍や書籍名を表示することができる。
【００５３】
また、本実施形態の探索システム１は、受信した識別情報を複数のグループ毎に分けて記憶している。このようにすれば、本棚に設けられた段毎に分けて、仮想書籍８０や書籍名８２を表示することができるができるので、書籍２０の探索をより効率よく行うことができる。
【００５４】
さらに、本実施形態では、携帯電話機５のメイン表示部５２ａに仮想書籍等を表示しているので、手元で目的の書籍をいつでも簡単に探し当てることができる。
尚、本実施形態の書籍が本発明の整理対象物に相当し、仮想書籍が本発明の仮想整理対象物に相当する。
【００５５】
本実施形態のメモリ回路３１が本発明の記憶手段、集積回路３０及びアンテナ３２が本発明の発信手段、ＩＣタグが本発明の識別用タグに相当する。
本実施形態の誘導器５２ｃが本発明の誘導手段、受信器５２ｄが本発明の受信手段、携帯電話機５が本発明の携帯型取得装置に相当する。
【００５６】
本実施形態のＳ５６〜Ｓ６０の処理を実行する中央制御装置５４が、本発明の表示装置に相当する。
以上本発明の一実施形態ついて説明したが、本発明はこの実施形態に何等限定されるものではなく、本発明の要旨を逸脱しない範囲において、種々なる態様で実施し得ることは勿論である。
【００５７】
上記実施形態では、識別情報取得処理（Ｓ１）及び仮想画像表示処理（Ｓ５）について説明したが、近年、ＩＣタグを誘導してＩＣタグから情報を読み取る機能を備えた携帯電話機が普及しているので、このような携帯電話機に対し、これらの処理を行うプログラムを作成し、そのプログラムをインストールした携帯電話機を使用してもよい。また、プログラムについては、一般公衆回線を介して各携帯電話機にダウンロードして使用してもよい。
【００５８】
上記実施形態では、携帯電話機５で仮想書籍８０の表示を行ったが、携帯電話機５では識別情報取得処理（Ｓ１）だけを行って、仮想画像表示処理（Ｓ５）は、他のコンピュータ装置や、他の携帯電話機で実行し、それらの装置で仮想書籍の表示を行ってもよい。
【００５９】
上記実施形態では、一つのブロックに属する仮想書籍８０だけを表示する例について説明したが（図７）、複数のブロックに属する仮想書籍を並列に表示してもよい。
上記実施形態では、書籍を整理する場合について説明したが、書籍以外のものを整理する場合にも利用してもよい。
【００６０】
上記実施形態では、書籍名８２を、仮想書籍８０と分離して表示したが（図７）、各仮想書籍８０の背表紙部分に書籍名８２を表示してもよいし、背表紙、あるいは別窓に、書籍の画像を表示してもよいし、用途に応じてどのように表示してもよい。
【図面の簡単な説明】
【００６１】
【図１】本実施形態の探索システムの説明図で、この探索システムを構成するＩＣタグが取り付けられた書籍と携帯電話機の斜視図である。
【図２】ＩＣタグの説明図で、（ａ）は平面図、（ｂ）はＩＣタグの記憶チップに記憶された識別情報の内容を示す表である。
【図３】携帯電話機の内部構成を示すブロック図である。
【図４】識別情報取得処理のフローチャートである。
【図５】ＲＡＭ５４ｃに記憶された識別情報、カウンタ値、グループ名を示す表である。
【図６】バーチャル画像表示処理のフローチャートである。
【図７】バーチャル画像表示処理を実行したときに、携帯電話機５のメイン表示部５２ａに表示される画像を説明するための説明図で、（ａ）はグループ名の一覧を表示した様子を示し、（ｂ）は仮想書籍と、グループ名と、書籍名と、並び順（カウンタ値）が表示された様子を示し、（ｃ）は、（ｂ）で示した仮想書籍がスクロールされたときの様子を示している。
【図８】書籍をカバーする様子を説明するための説明図である。
【符号の説明】
【００６２】
１…探索システム、３…ＩＣタグ、５…携帯電話機、２０…書籍、２０ａ…背表紙、３０…集積回路、３１…メモリ回路、３２…アンテナ、３４…台紙、５０…第１フレーム、５０ａ…押ボタンスイッチ、５２…第２フレーム、５２ａ…メイン表示部、５２ｂ…サブ表示部、５２ｃ…誘導器、５２ｄ…受信器、５４…中央制御装置、５５…画像出力装置、５６…キーセンサ、５７…通信装置、６２…バス、８０…仮想書籍、８２…書籍名、８４…グループ名、８６…数字
【図１】
2007099441.tif 000003
【図２】
2007099441.tif 000004
【図３】
2007099441.tif 000005
【図４】
2007099441.tif 000006
【図５】
2007099441.tif 000007
【図６】
2007099441.tif 000008
【図７】
2007099441.tif 000009
【図８】
2007099441.tif 000010